(57)【特許請求の範囲】
【請求項１】
外部から吸引した空気を加熱して吹き出すヘアドライヤにおいて、
筒状をなし一方端に吸込口、他方端に吹出口を有する筺体と、前記筺体内部に設けられ前記吸込口から吸い込んだ空気を吹出口に向けて送出する軸流ファンと、前記軸流ファンによって送出された空気を加熱するヒータと、前記吸込口に設けられた網目状のフィルタと、を備え
前記軸流ファンは、回転軸部と、前記回転軸部の外表面から前記回転軸部の半径方向外側に延出する翼とを有し、前記翼の送風方向上流側端部から前記フィルタの送風方向下流側端部までの前記回転軸部の回転軸方向の距離が、前記翼の前記回転軸方向の幅よりも大きく、
前記翼の送風方向上流側端部から前記フィルタの送風方向下流側端部までの前記回転軸部の回転軸方向の距離が４６ｍｍ以上離間しており、
前記軸流ファンと前記フィルタとの間に設けられ、前記吸込口から吸い込まれた空気の流れを乱す気流乱し部材とを備え、
前記気流乱し部材は、前記軸流ファンが回転した際に前記翼が通過する領域の回転軸方向上流側の領域に配置され、前記軸流ファンの回転軸に対し略軸対称となる位置に複数設けられていることを特徴とするヘアドライヤ。
【請求項２】
前記翼の送風方向上流側端部から前記フィルタの送風方向下流側端部までの前記回転軸部の回転軸方向の距離が６０ｍｍ以上離間していることを特徴とする請求項１に記載のヘアドライヤ。
【発明の詳細な説明】
【技術分野】
【０００１】
本発明は、吸込口とファン及びモータを備えたヘアドライヤに関する。
【背景技術】
【０００２】
従来より、ヘアドライヤにおいて、回転駆動するファンによって、吸込口から吸い込んだ空気を吐出口に向けて送り出すにあたり、ゴミやホコリ、毛髪等が吸込口から吸い込まれることを防止するため、吸込口付近にフィルタが設置されている。
【０００３】
例えば、特許文献１では、３つのフィルタを吸込口からファンの間に取り付けた加熱送風装置が開示されている。吸込口に第１のフィルタが取り付けられ、加熱送風装置の本体内部に第２のフィルタを設置し、かつ当該両フィルタは着脱可能にされている。吸込口に設置された第１のフィルタに対し、第２のフィルタは、吸入側となる第１のフィルタと比べ、開口率を低くすることで細かい異物が捕獲できるようになっている。さらに、第２のフィルタとファンの間に第３のフィルタが固定されており、第１のフィルタと第２のフィルタを取り外した場合において、指等が軸流ファンに接触するのを防止し、取り外しの際の安全性を確保している。
【先行技術文献】
【特許文献】
【０００４】
【特許文献１】特開２００８−３０７２２１号公報
【発明の概要】
【発明が解決しようとする課題】
【０００５】
しかし、ヘアドライヤを使用する場合、たとえフィルタの開口率が低くても使用者の毛髪が吸込口に吸われることがある。ここで、毛髪が吸込口のフィルタを通してヘアドライヤの内部へ浸入してしまった場合、回転するファンやモータの軸に毛髪が絡まるといった問題がある。
【０００６】
本発明は、上記の点に鑑みてなされたものであり、毛髪が吸込口からヘアドライヤの筺体内へ侵入したときに、毛髪が軸流ファンに絡まることを防止するヘアドライヤを提供することを目的とする。
【課題を解決するための手段】
【０００７】
本発明に基づくヘアドライヤは、外部から吸引した空気を加熱して吹き出すヘアドライヤにおいて、筒状をなし一方端に吸込口、他方端に吹出口を有する筺体と、筺体内部に設
けられ吸込口から吸い込んだ空気を吹出口に向けて送出する軸流ファンと、軸流ファンによって送出された空気を加熱するヒータと、吸込口に設けられた網目状のフィルタと、を備える。軸流ファンは、回転軸部と、回転軸部の外表面から回転軸部の半径方向外側に延出する翼とを有する。翼の送風方向上流側端部からフィルタの送風方向下流側端部までの回転軸部の回転軸方向の距離が、翼の回転軸方向の幅よりも大きい。翼の送風方向上流側端部からフィルタの送風方向下流側端部までの回転軸部の回転軸方向の距離が４６ｍｍ以上離間している。軸流ファンと前記フィルタとの間に設けられ、吸込口から吸い込まれた空気の流れを乱す気流乱し部材とを備え、気流乱し部材は、軸流ファンが回転した際に翼が通過する領域の回転軸方向上流側の領域に配置され、軸流ファンの回転軸に対し略軸対称となる位置に複数設けられている
【０００８】
好ましくは、翼の送風方向上流側端部からフィルタの送風方向下流側端部までの回転軸部の回転軸方向の距離が６０ｍｍ以上離間している。
【発明の効果】
【００１３】
本発明によれば、ヘアドライヤの使用時において、使用者の毛髪が本体内部にある軸流ファンやモータ軸に絡む危険性を低減できる。
【図面の簡単な説明】
【００１４】
【図１】本発明の実施形態１に係るヘアドライヤの側面透視図である。
【図２】本発明の実施形態１に係るヘアドライヤの正面図である。
【図３】本発明の実施形態１に係るヘアドライヤの背面図である。
【図４】本発明の実施形態１に係るイオン発生器の斜面図である。
【図５】本発明の実施形態１に係るイオン発生器の配置を示す図である。
【図６】本発明の実施形態１に係るヘアドライヤの着脱に関する斜面図である。
【図７】本発明の実施形態１に係るヘアドライヤ本体と吸込口の着脱部に関する斜面図である。
【図８】本発明の実施形態２に係るヘアドライヤの側面透視図である。
【発明を実施するための形態】
【００１５】
以下、本発明の実施形態について、図面に基づいて説明する。
【００１６】
〔実施形態１〕
図１は、本発明の実施の形態１に係るヘアドライヤの構成を示す側面透視図である。
【００１７】
本実施形態に係るヘアドライヤの主な構成として、吹出口を形成するノズル１、本体２、吸気フィルタ３（吸込口）、そして、ハンドル４から成る。
【００１８】
ノズル１は、ヘアドライヤの風を一定方向に吐出する。本体２は、加熱手段、送風手段、イオンを放出する放電手段を内部に有する。さらに、本体２から吸気フィルタ３を取り外すことで電源を遮断する電源遮断手段を備える。吸気フィルタ３は、本体２へ取り付けが可能であり、吸気フィルタ３と電源遮断手段が連動している。ハンドル４は、電源のオン・オフ手段や、風量・温度調整手段を備える。
【００１９】
本体２には、加熱手段である図示しないヒータユニットを有する温風流路５を備え、さらに仕切り板７を跨いで、冷風を送風する冷風流路６を備える。温風流路５及び冷風流路６の上流側には、送風手段として軸流ファン８を備える。軸流ファン８のさらに上流側に、電源遮断手段となるプッシュスイッチ９、イオン発生器１０、ＬＥＤ１１、イオン発生器用基板１２を備える。
【００２０】
軸流ファンは、回転軸部８１と、前記回転軸部の外表面から前記回転軸部の半径方向外側に延出する８枚の翼８２とを有し、モータ８３の出力軸に固定されている。翼８２の上流側端部と、開口部を有する吸気フィルタ３の下流側端部との回転軸部８１の回転軸方向距離を距離Ａとする。また、翼８１の回転軸部８１の回転軸方向の幅を幅Ｂとする。本実施形態におけるヘアドライヤは、距離Ａが９０ｍｍであり、幅Ｂが２１ｍｍで、翼８２の外径は約６２ｍｍである。
【００２１】
ここで、ヘアドライヤを使用する場合、使用者はヘアドライヤを毛髪に近づけることが多く、誤って吸込口から毛髪が吸引される場合がある。毛髪が吸引され、軸流ファン８の翼やモータ軸に絡まると、毛髪がちぎれてしまう。また、絡まった毛髪やちぎれた毛髪が軸流ファン８より下流に配置されているヒータユニットまで到達すると、毛髪が焼けるというおそれがある。
【００２２】
本願発明の発明者は、前述の距離Ａが大きくなるように軸流ファン８を配置することで、毛髪が吸込口から吸引された場合であっても吸引された毛髪が軸流ファン８まで到達せず、毛髪のちぎれを防止することができることを見出した。
【００２３】
軸流ファン８は翼８１の幅Ｂが大きいほど送風能力が高く、吸引力が大きくなるため、本実施形態におけるヘアドライヤでは、距離Ａを幅Ｂよりも大きくすることで吸込口から吸引された毛髪が軸流ファン８まで到達しないようにしている。軸流ファン８の翼８１の幅Ｂが大きくなると、吸込口から吸引された毛髪を軸流ファン側に引っ張り込む力が強くなるため、それに合わせて距離Ａも大きくする必要がある。
【００２４】
吸込口から吸引された毛髪は、吸込口の吸気フィルタ３によって一端を支持された片持ち梁の状態になる。毛髪はある程度のコシを有するため、支持されている吸気フィルタ３の近傍では風の影響を受けにくく、軸流ファン８に向かって真っすぐ延びているが、吸気フィルタ３から離れれば離れるほどコシがなくなり、風による影響を受けやすくなる。
【００２５】
ここで、軸流ファン８は、筒状の筺体内部で回転することによって旋回流を生じさせる。軸流ファン８の吸込側においても、特に軸流ファン８に近い領域では旋回流の旋回成分が大きくなる。距離Ａが所定以上確保できていると、吸込口から吸引された毛髪がこの旋回成分が大きくなる軸流ファン８に近い領域に達したとき、毛髪はコシがなくなり風の影響をうけやすい状態にあるため、毛髪は旋回流に乗って筺体内壁に沿って回される。筺体内壁に沿って回された毛髪は、毛髪同士が絡んでしまうものの、軸流ファンに吸い込まれにくく、毛髪のちぎれには至らない。
【００２６】
一方、距離Ａが所定以上確保できておらず、吸気フィルタ３の近傍に軸流ファン８が配置されていると、吸気フィルタ３によって支持されている位置の近傍では毛髪のコシが強く、旋回流の影響をほとんど受けることがないため、吸込口から吸引された毛髪はそのまま軸流ファン８に吸い込まれ、翼８１やモータ軸に絡まって、ちぎれてしまう。
【００２７】
次に、距離Ａと吸込口から吸引された毛髪の状態の関係を調べる実験を行った。
【００２８】
実験条件として、距離Ａが異なるヘアドライヤａ，ｂ，ｃ，ｄを用意し、各ヘアドライヤａ，ｂ，ｃ，ｄの吸気フィルタ３に毛束を垂直に押し当て強制的に吸引させた。毛髪は１００ｍｍ以上の長さを有する市販の毛束を使用した。
【００２９】
ヘアドライヤａの場合、距離Ａは９０ｍｍである。吸気フィルタ３に吸い込まれた複数の毛髪同士が直線距離Ａの範囲内で絡みあったが、軸流ファン８まで届かなかった。ヘアドライヤｂの場合、ヘアドライヤａと同様に吸気フィルタ３に吸い込まれた複数の毛髪同士が直線距離Ａの範囲内で絡みあったが、軸流ファン８まで届かなかった。ただし、ヘアドライヤａに比べ、ヘアドライヤｂのほうが多量の毛髪同士が絡みあった。ヘアドライヤｃも同様に吸気フィルタ３に吸い込まれた複数の毛髪同士が直線距離Ａの範囲内で絡みあったが、軸流ファン８まで届かなかった。ただし、ヘアドライヤｃの場合は、ヘアドライヤａ，ｂに比べ、さらに多量の毛髪同士が絡みあった。ヘアドライヤｄの場合、吸気フィルタ３に浸入した毛髪が軸流ファン８に巻き込まれ毛髪がちぎれた。以上の結果を表１に示す。
【００３０】
【表１】
0005868775.tif 000002
表１に示すとおり、距離Ａが４６ｍｍ以上であれば、毛髪が軸流ファンに到達しにくい。さらに、距離Ａが６０ｍｍ以上であれば、毛髪同士の絡み度合いも少なくなり、より毛髪が吸込口から吸引された場合の毛髪のダメージを軽減することができる。
【００３１】
ハンドル４には、電源オン・オフを制御するスイッチ１５だけでなく、「低温モード」を選択するスイッチ１３や、風量を上げるためのターボ機能をオン・オフするスイッチ１４も備える。本実施形態の電源スイッチ１５はオン・オフだけでなく、「クール」、「セット」、「ドライ」といった３種類のモードを備え、「セット」と「ドライ」ではヒータユニットにより温風を吐出している。この場合、低温モードを選択していなければ、髪や地肌に７５℃〜９０℃の熱風があたることになる。しかし、本来髪や地肌に７０℃を超える熱風を長時間あてると、ヤケド等のダメージを受けてしまう。そのため、本実施形態のヘアドライヤでは、５０℃〜６０℃の髪や地肌にやさしい「低温モード」を選択できるスイッチ１３が設けられている。
【００３２】
図２は、本実施形態のヘアドライヤの正面図である。吐出口のノズル１の上流側には、使用者が本体内部のヒータユニットによってヤケドしないよう、図のような網目状の格子部材が取り付けられている。
【００３３】
図３は、本実施形態のヘアドライヤの背面図である。図３（ａ）は吸気フィルタ３が取り付けられている状態を示し、図３（ｂ）は吸気フィルタ３が外された状態を示している。吸気フィルタ３が取り外されると、吸気フィルタ３によって押さえられていたプッシュスイッチ９が解除される。プッシュスイッチ９は電源と連動しており、プッシュスイッチ９が押された状態では電源はオン状態であり、解除された状態で電源がオフとなる。そのため、吸気フィルタ９を取り外すと電源が強制的にオフとなり、イオン発生器１０を安全に取り外すことが可能となる。
【００３４】
ここで、イオン発生器１０について説明する。図４は、イオン発生器１０の斜視図である。イオン発生器１０は、針電極１６と誘導電極１７からなるイオン発生部を２つ有している。各イオン発生部は、針電極１６は先端が尖った針形状であり、その周囲を囲むように円形の誘導電極１７が配置され、両電極間の間隔は８ｍｍになっている。針電極１６は誘導電極１７に対し１０ｍｍほど突出している。これにより針電極１６の先端で発生したイオンが送風時に効率よく取り出されるようになる。また、針電極１６が突出しているため、安全のために保護機構１８を前面に設け針電極１６に直接触れられないようにしている。
【００３５】
イオンは、例えば、針電極１６に実効電圧＋２ｋV以上の電圧と０Vが切り替わる６０Ｈｚの交流を印加し、誘電電極１７をグラウンド電位にすることにより発生する。針電極１６に実効電圧＋２ｋV以上が印加されているときに誘電電極１７との間の電位差によりコロナ放電が起こり、針電極１６の先端部近傍で空気中の水分子が電離して水素イオン（Ｈ＋）が生成する。この水素イオンが空気中の水分子と群状態で結合（クラスタリング）し、Ｈ＋（Ｈ２Ｏ）ｍ（ｍは任意の自然数）から成るプラスイオンが発生する。
【００３６】
また、針電極１６に実効電圧−２ｋＶ以下の電圧と０Ｖが切り替わる６０Ｈｚの交流を印加し、誘電電極１７をグラウンド電位にすることによりマイナスイオンが発生する。このマイナスイオンは、空気中の酸素分子又は水分子が解離して酸素イオンＯ２−が生成する。この酸素イオンが空気中の水分子とクラスタリングして、Ｏ２−（Ｈ２Ｏ）ｎ（ｎは０または任意の自然数）から成るマイナスイオンが発生する。
【００３７】
但し、プラスイオンとマイナスイオンのイオン種を特定する必要はなく、正もしくは負に帯電した原子もしくは分子であればよい。また、プラスイオンとマイナスイオンの両方が必要ではなく、例えばマイナスイオンのみであってもよい。
【００３８】
本実施形態では、イオン発生器１０はイオン発生部を２つ有しており、各イオン発生部はプラスイオン発生部とマイナスイオン発生部となっている。そのため、プラスイオンとマイナスイオンが同時に放出され、軸流ファン８により作りだされる空気の気流に乗って下流へと流れる。
【００３９】
電極１６、１７は軸流ファン８側に配置されている。本来は電極１６、１７が気流に対して垂直になるように、つまり図２にて針電極１６が上又は下を向くような方向に配置することが好ましい。しかし、本実施形態で用いるイオン発生器は、図４に示すように電極があるイオン発生面が横長で針電極１６方向の奥行きが長いため、吸気口（吸気フィルタ３）をさえぎる配置としては好ましくない。よって、本実施形態では、電極１６、１７が気流に対して平行になるよう配置する。このようなレイアウトにしたのは下記に示す実験によりイオンの発生量やホコリによる影響などを考慮した結果である。
【００４０】
図５はヘアドライヤの試作機におけるイオン発生器の配置を示す図である。図５（ａ）から（ｃ）に示す３つの配置で吐出口２０から出てくるイオンの発生量を調べた。なお、この実験はイオンの発生傾向を調べるために行ったものであり、図４に示したイオン発生器とは異なるものを用いて行った。イオンの発生量を表２に示す。
【００４１】
図５(ａ)に示すように、イオン発生器１０を矢印で示す風の流れに対し直交する方向に電極を配置した場合、表２に示すように９５万個／ｃｃから１２０万個／ｃｃのイオンが出ており、送風される空気中のイオン濃度がもっとも濃い。ここでは、通常の送風量のときと（ＮＯＲＭＡＬ）、送風量が多い状態（ＴＵＲＢＯ）の２つの状態で実験を行った。なお、図では電極が下向きになっているが上向きでもほぼ同じ結果が得られる。
【００４２】
図５（ｂ）は風の向きに対し風下の方に電極は配置されている。この場合でも、９０万個／ｃｃから１１０万個／ｃｃのイオンが出ており実用上問題のない量のイオンが吐出口１９から吐き出される。
【００４３】
また、図５（ｃ）は風の向きに対し風上の方に電極は配置されている。この場合でも、９５万個／ｃｃから１０５万個／ｃｃのイオンが出ており実用上問題のない量のイオンが吐出口１９から吐き出される。
【００４４】
【表２】
0005868775.tif 000003
このように、吐き出されるイオンの量はどのように配置しても十分な量が得られるため、イオン発生器１０により吸込口が遮られることで送風量が落ちないように、図５（ｂ）又は図５（ｃ）のように配置することが好ましい。特に、電極にホコリが直接つきにくい図５（ｂ）の配置が好ましい。そのため、本実施形態では図１などに示すように図５（ｂ）のレイアウトにイオン発生器１０を配置している。
【００４５】
なお、吐き出されるプラスイオンとマイナスイオンはほぼ同数、若しくはマイナスイオンの方が多いことが望ましい。プラスイオンとマイナスイオンの数のバランスが取れている方が、ＯＨラジカルが発生する確率が高くなる。髪はプラスに帯電しているためマイナスイオンが多い方が髪のきしみや傷みを防止することができるため好ましい。
【００４６】
下流に送風されたイオンは吐出口１を経由して髪に送風される。髪はブラッシングによりプラスに帯電しやすいため、マイナスイオンにより静電気の発生を防止し髪の傷みを改善することができる。また、プラスイオンによりプラスに帯電したブラシの静電気の発生を防止し髪の傷みを改善することができる。さらに、水分子と結合したイオンを髪に当てることにより、ナノやマイクロレベルの小さな水分子により髪に水分を浸透させることができ、しっとりとした髪を得ることができる。
【００４７】
さらに、本実施形態のイオン発生器１０を用いるとプラスイオンとマイナスイオンが頭皮に付着し、両者が反応しＯＨラジカルを作る。ＯＨラジカルは、育毛のさまたげになっている頭皮に残っているシャンプーやリンスの残りかすを酸化させ、二重結合を断ち切る。これにより育毛に最適な頭皮な作る手助けをすることができる。なお、ＯＨラジカルは不安定であるためナノ秒単位でしか存在することができない。そのためＯＨラジカルをイオン発生器１０で作りだしても頭皮に届く前に消滅してしまう。しかし、本実施形態のようにプラスイオンとマイナスイオンをイオン発生器１０で作りだし、頭皮で両者を反応させることにより効果的に頭皮でＯＨラジカルを作り出すことができる。また、ＯＨラジカルは除菌消臭効果もある。
【００４８】
また、本実施形態では、図４のイオン発生器１０の背面の下方にＬＥＤ１１を配置した。このＬＥＤ１１は、ヘアドライヤの電源がオンされ、本体内の部品が通電（動作）している状態で点灯する。これにより、使用者は本体内部の部品の動作状態を把握し、ヘアドライヤが動作中かどうか確認できるため、意識的に電源をオフにした後に、吸気フィルタ３を着脱できる。よって、感電や怪我の危険性を低減できる。
【００４９】
図６は、本実施形態のヘアドライヤの斜視図を示す。イオン発生器１０は、針電極１６にホコリやヘアスプレーに含まれるシリコン等の異物が付着すると、イオンの発生量が減少し、イオンの効果が十分に得られなくなるという問題がある。そのため、針電極１６にホコリやシリコン系異物の付着に対し、清掃を行うかもしくはイオン発生器１０を交換する必要がある。図６（ａ）は、本体２から吸込口である吸気フィルタ３を取り外す具体的な構成を示す。
【００５０】
ここで、図６（ａ）の取り外し部を図７で拡大した。本実施形態では、本体２の凹部２１と吸込口である吸気フィルタ３の凸部２２をかみ合わせることで固定させている。また、吸気フィルタ３には凸棒２３が取り付けられており、本体２との設置によってプッシュスイッチ９が押さえられるため、吸気フィルタ３が取り付けられている場合のみ、本体内の部品は通電状態となる。よって、例えば使用者が吸気フィルタ３を取り外した状態で電源スイッチ１５をオン状態に操作し、その状態のままイオン発生器１０を清掃・交換しようとした場合であっても、内部の部品は通電しないため感電等の危険を防止できる。また、吸気フィルタ３の取り外しによって、軸流ファン８の動作も停止するため、取り外し後のゴミやホコリ、毛髪等の吸い込みを軽減できる。よって、特許文献１のように、固定フィルタを必ずしも設置する必要がなくなり、コスト削減が見込める。さらに、固定フィルタの削減により、風量アップが期待できる。
【００５１】
本実施形態では、別々になっている本体２と吸気フィルタ３を取り付けることによって通電が可能となる。そのため、本体２の電源スイッチ１５をオンにした上で吸気フィルタ３を取り付けると、ヘアドライヤが動作するようにしてもよい。
【００５２】
また、本体２の電源スイッチ１５をオンにした上で吸気フィルタ３を取り付けプッシュスイッチ９がオフからオンになった場合、プッシュスイッチ９のオンを図示しないマイコン等が検知後、一定時間を経てから通電可能にしてもよい。
【００５３】
この場合、本体２と吸気フィルタ３を取り付けても即時に通電しないため、例えば使用者が吸気フィルタ３を取り付ける際に、あやまって通電部や発熱部を接触していたとしても、比較的余裕をもって離すことができる。これにより、使用者の感電や怪我の可能性を低減できる。
【００５４】
また、本実施形態では、ヘアドライヤから吸気フィルタ３とイオン発生器１０を取り外せば、軸流ファン８の清掃等のメンテナンスが可能となる。
【００５５】
従来より、ヘアドライヤの軸流ファンは、静電気の帯電により吸気フィルタで取り除けなかったゴミやホコリ、頭髪から抜けた毛髪等が付着するといった問題があった。そのため、使用者は本体内に設置された軸流ファンを掃除したいといいう願望があった。しかし、吸気フィルタを取り外せるものの、電源遮断手段がない場合、軸流ファンが剥き出しとなるため、使用者が怪我をするおそれがある。また、本体内にゴミやホコリ、頭髪から抜けた毛髪等を吸い込んでしまうといった問題も発生する可能性がある。
【００５６】
ここで、吸気フィルタ３と軸流ファン８の間に取り外し可能な第２のフィルタを設置することも想定できる。この構成であれば、吸気フィルタ３で捕集できなかったゴミやホコリ、毛髪等を第２のフィルタで捕集でき、なおかつ第２のフィルタを取り外すことで軸流ファン８の掃除等も可能となる。しかし、使用者が電源を切らずに第２のフィルタを外してしまえば、同様の問題が発生する。よって、吸気フィルタ３の取り外しによって、プッシュスイッチ９が開放されることにより電源を遮断する構成にすれば、上記問題が解決できる。
【００５７】
次に、図６（ｂ）は、本体内にある部品の保守・交換の例として、イオン発生器１０を取り外す構成を示す。本実施形態において、イオン発生器１０は図４のようにＬＥＤ１１と一体型になっている。また、ＬＥＤ１１のまわりにある出っ張りに手をひっかけ、引っ張れば取り外せる構成にしている。ここで、イオン発生器１０は、本体側にあるＤＣコネクタが差し込み口１９（図４参照）に接続されることで通電する。
【００５８】
ここで、本実施形態ではイオン発生器１０を設置されているが、代わりにミストタンクが設置されている場合であってもよく、また、イオン発生器１０とミストタンクの両部品が設置されていてもよい。
【００５９】
また、本実施形態では本体２と吸気フィルタ３の着脱が可能としたが、本体２と吸気フィルタが一体となり着脱できない構成でもよい。
【００６０】
〔実施形態２〕
図８に本実施系におけるヘアドライヤの側面透視図を示す。実施形態１では軸流ファン８と吸気フィルタ３の距離に重点を置いたが、本実施形態では軸流ファン８と吸気フィルタ３の間に気流乱し部材があるヘアドライヤについて説明する。本実施形態では、図８のヘアドライヤの筺体内にある吸気フィルタ３と軸流ファン８の円周の範囲内において、翼が回転する領域の延長上にイオン発生器１６とプッシュスイッチ９が、軸流ファン８の回転軸に対し略軸対称となる位置に設けられている。
【００６１】
一般的なヘアドライヤは、軸流ファン８と吸気フィルタ３の間に部材を設けないため、吸気フィルタ３から吸入された空気は軸流ファン８の回転面に略交差して直進したのち、軸流ファン８によって作り出される旋回流によって軸流ファン８の回転方向にねじれながら軸流ファン８に進む。しかし、イオン発生器１６とプッシュスイッチ９のような気流乱し部材を設けることによって一部の気流が乱れる。特に軸流ファン８の上流側端部付近の気流が乱れることにより、一部上流側へ空気が戻る流れが発生する。その結果、使用者の毛髪が吸気フィルタ３に吸引されても毛髪を上流側へ押し返すため、毛髪が軸流ファン８まで到達しない。これにより、吸気口に目が細かく毛髪が通過し難いフィルタを備えることなく、毛髪の軸流ファン８への巻き込みを防止することが可能となる。
【００６２】
特に、気流乱し部材を軸流ファン８の翼が回転する領域の上流側延長上に設けることで、外周に回転しながら軸流ファン８に進む空気の流れの一部を乱すだけとなり、内周部の空気は直進することで空気の吸い込み量を確保しつつ、毛髪が軸流ファン８の回転翼へ到達することを防止できる。さらに、気流乱し部材であるイオン発生器１６とプッシュスイッチ９を軸流ファン８の回転軸に対し略軸対称となる位置に複数設けることにより、吸気フィルタのどの範囲から毛髪が吸引された場合であっても毛髪が軸流ファンへ到達することを防止できる。本実施形態では、イオン発生器１６とプッシュスイッチ９とをそれぞれ、上部と下部に設けたが、右側面側と左側面側に設けてもよい。
【００６３】
ここで、吸気フィルタ３から吸引された空気の流れを乱す気流乱し部材はイオン発生器１６とプッシュスイッチ９以外の部材でもよい。さらに、気流乱し部材を直線距離Ａ内に
１つ設けるだけであってもよい。
以下に、他の実施形態のヘアドライヤを付記する。
本発明に基づくヘアドライヤは、翼の送風方向上流側端部からフィルタの送風方向下流側端部までの回転軸部の回転軸方向の距離が４６ｍｍ以上離間している。
好ましくは、翼の送風方向上流側端部からフィルタの送風方向下流側端部までの回転軸部の回転軸方向の距離が６０ｍｍ以上離間している。
本発明に基づくヘアドライヤは、外部から吸引した空気を加熱して吹き出すヘアドライヤにおいて、筒状をなし一方端に吸込口、他方端に吹出口を有する筺体と、筺体内部に設けられ吸込口から吸い込んだ空気を吹出口に向けて送出する軸流ファンと、軸流ファンによって送出された空気を加熱するヒータと、吸込口に設けられた網目状のフィルタと、軸流ファンとフィルタとの間に設けられ、吸込口から吸い込まれた空気の流れを乱す気流乱し部材とを備える。
好ましくは、軸流ファンは、回転軸部と、回転軸部の外表面から回転軸部の半径方向外側に延出する翼とを有する。気流乱し部材は、軸流ファンが回転した際に翼が通過する領域の回転軸方向上流側の領域に配置されている。
好ましくは、気流乱し部材は、軸流ファンの回転軸に対し略軸対称となる位置に複数設けられている。
【符号の説明】
【００６４】
１  ノズル
２  本体（ヘアドライヤ本体）
３  吸気フィルタ（吸込口）
４  ハンドル
５  温風流路
６  冷風流路
７  仕切り板
８  軸流ファン
９  プッシュスイッチ
１０  イオン発生器
１１  ＬＥＤ
１２  イオン発生器用基板
１３  低温モード切り替えスイッチ
１４  ターボ機能オン・オフスイッチ
１５  電源スイッチ
１６  針電極
１７  誘導電極
１８  保護機構
１９  ＤＣコネクタ差し込み口
２０  吐出口
２１  凹部
２２  凸部
２３  凸棒
【図１】
0005868775.tif 000004
【図２】
0005868775.tif 000005
【図３】
0005868775.tif 000006
【図４】
0005868775.tif 000007
【図５】
0005868775.tif 000008
【図６】
0005868775.tif 000009
【図７】
0005868775.tif 000010
【図８】
0005868775.tif 000011